(57)【特許請求の範囲】
【請求項１】
背もたれがリクライニングし、アームレスト部を有する座椅子に装着される座椅子用カバーにおいて、
それぞれ毛足の長さが１．５ｃｍ以上のムートン調の表面を有する背もたれ部、座部及びアームレスト部と、を備え、
前記背もたれ部と前記座部との間には、それぞれ前記背もたれ及び前記座部に接合された厚さ２．０ｍｍ以下であってかつ幅が２．０ｃｍ以上の柔軟な第１シートと、
前記アームレスト部と前記座部の間には、それぞれ接合された厚さ２．０ｍｍ以下であってかつ幅が２.０ｃｍ以上の柔軟な第２シートと、を備え、
前記背もたれ部の背面側には、前記背もたれ部の上端辺、左端辺及び右端辺とで接合された厚さ２．０ｍｍ以下の柔軟な第３シートを備えていることを特徴とする座椅子用カバー。
【請求項２】
前記第１シート又は前記第２シートは、端部が内側に向くように重ね合わせて接合されていることを特徴とする請求項１に記載の座椅子用カバー。
【請求項３】
前記第３シートは、前記座部の前方端辺及び左右の前記アームレスト部の端辺と接合自在に形成されていることを特徴とする請求項１又は２に記載の座椅子用カバー。
【請求項４】
前記第３シートは、前記背もたれ部の背面側において、長さを変更可能なように折り曲げ部を備えていることを特徴とする請求項１から３のいずれか１項に記載の座椅子用カバー。
【請求項５】
請求項１から４のいずれか１項に記載の座椅子用カバーが被覆された座椅子。
【発明の詳細な説明】
【技術分野】
【０００１】
本発明は、座椅子用カバー及び座椅子に関する。
【背景技術】
【０００２】
従来、座椅子用カバーは、座椅子を被覆する生地、シート等を同一の生地のみで作製されており、一般には、座面、背もたれをそれぞれ個別に被覆することによって作製されていた。これに対して、座面と背もたれを両方とも被覆する一体の座椅子用カバーが提案されている（特許文献１）。この座椅子用カバーは、側方に設けられた開口部を開け、座椅子が折られた（Ｌ字状の）状態で被せて装着するものであり、開口部にはチャック（ジッパー・ファスナー）や面ファスナー、ボタン、ホック、スナップ等のような閉塞具を設けて閉口可能としているものである。
【０００３】
しかしながら、ムートンのように毛足の長さが１．５ｃｍを超えるような生地を使用した場合には、Ｌ字に折られた部分が浮いてしまうという問題点があった。また、アームレストを有する座椅子の場合には、取り付けることが困難であるという問題点もあった。
【０００４】
本発明者は、一体に作製された座椅子用カバーを使用して、アームレストを有し、かつ背もたれがリクライニングする座椅子に対して取付け可能な座椅子用カバーを作製するに際して、以下のような問題が発生することがわかった。まず、毛足の長いムートン調の生地を使用した場合、座椅子のＬ字状に折られた部分で浮かないように、背もたれ部と座部との間の隙間や座部とアームレスト部の隙間に押し込むようにしたいと考えたが、生地が厚すぎて隙間に入らないため、これらの隙間にムートン生地を挿入して取り付けることができないという問題点があった。
【０００５】
また、背もたれ部がリクライニングするタイプの座椅子においては、背もたれ部とアームレスト部との隙間が小さいため、ムートン生地同士が干渉して背もたれ部を起こすことができないという問題点があった。
【先行技術文献】
【特許文献】
【０００６】
【特許文献１】実用新案登録第３０７１３４６号公報
【発明の概要】
【発明が解決しようとする課題】
【０００７】
そこで、本発明は、上述した問題点を解決するためになされたものであり、背もたれがリクライニングし、かつアームレスト部を有する座椅子において、毛足が１．５ｃｍを超える生地であっても、椅子正面側に毛足を隙間なく取り付けることができ、かつ背もたれのリクライニング機構を妨げることのない一体型の座椅子用カバー及び座椅子を提供することを目的とする。
【課題を解決するための手段】
【０００８】
本発明は、上述の目的を達成するために以下の手段を採った。
【０００９】
本発明にかかる座椅子用カバーは、
背もたれがリクライニングし、アームレスト部を有する座椅子に装着される座椅子用カバーにおいて、
それぞれ毛足の長さが１．５ｃｍ以上のムートン調の表面を有する背もたれ部、座部及びアームレスト部と、を備え、
前記背もたれ部と前記座部との間には、それぞれ前記背もたれ及び前記座部に接合された厚さ２．０ｍｍ以下であってかつ幅が２．０ｃｍ以上の柔軟な第１シートと、
前記アームレスト部と前記座部の間には、それぞれ接合された厚さ２．０ｍｍ以下であってかつ幅が２.０ｃｍ以上の柔軟な第２シートと、
を備えていることを特徴とする。
【００１０】
本発明にかかる座椅子用カバーは、背もたれ部と座部との間に薄くかつ柔軟な第１シートを有しているため、第１シートを座椅子の背もたれと座面との間（Ｌ字に折れ曲がった部分）に挿入することによって、毛足の長いムートン生地を背もたれと座面との間に挿入することなく、座椅子用カバーを背もたれ及び座面に被覆することができる。この際に一体の座椅子用カバーでありながら、背もたれと座面それぞれに個別に毛足の長いムートン生地で被覆しているように見せることができる。また、アームレスト部と座部との間にも薄い柔軟な第２シートを有しているため、この第２シートを座面とアームレストとの間に挿入することによって、毛足の長いムートン生地部を座面とアームレストとの間に挿入することなく、座椅子用カバーを座面とアームレストに被覆することができる。この際に、一体の座椅子用カバーでありながら、アームレストと座面とを個別に毛足の長いムートン生地で被覆しているかのように見せることができる。
【００１１】
また、本発明にかかる座椅子用カバーにおいて、前記第１シート又は第２シートは、端部が内側に向くように重ね合わせて接合されていることを特徴とするものであってもよい。
【００１２】
かかる構成を採用することによって、背もたれと座面との間やアームレストと座面の間に第１シート又は第２シートを押し込んだ場合に、押し込まれた状態を維持するように端部が形成されているので、第１シート及び第２シートが背もたれと座面との間やアームレストと座面の間から容易に外れることを防止することができる。
【００１３】
また、本発明にかかる座椅子用カバーにおいて、前記背もたれ部の背面側には、背もたれ部の上端辺、左端辺及び右端辺とで接合された厚さ２．０ｍｍ以下の柔軟な第３シートを備えていることを特徴とするものであってもよい。
【００１４】
背もたれ部の背面側に薄くかつ柔軟な第３シートを備えることによって、背もたれ部が袋状に形成されるため、この袋状の部分に座椅子の背もたれを挿入することのみで容易に背もたれに座椅子用カバーを被覆することができる。
【００１５】
さらに、本発明にかかる座椅子用カバーにおいて、前記第３シートは、前記座部の前方端辺及び左右の前記アームレスト部の端辺と接合自在に形成されていることを特徴とするものであってもよい。
【００１６】
かかる構成を採用することによって、座椅子に座椅子用カバーを取り付けた後、座部の前方端辺及び左右の前記アームレスト部の端辺と接合することで、座椅子全体を被覆することができる。そのため、座椅子用カバーが座椅子から外れる可能性を低減することができる。
【００１７】
さらに、本発明にかかる座椅子用カバーにおいて、前記第３シートは、前記背もたれ部の背面側において、長さを変更可能なように折り曲げ部を備えていることを特徴とするものであってもよい。
【００１８】
かかる構成を採用することによって、座椅子のリクライニングする背もたれ部を起立させた場合には、背面側の第３シートが引っ張られて長さが足りなくなる可能性があるが、折り曲げ部が延びることによって足りなくなった長さを補完することができる。
【００１９】
また、本発明は、上述した座椅子用カバーが被覆された座椅子を提供する。
【００２０】
さらに、本発明にかかる座椅子において、前記座椅子のフレームは、背もたれがリクライニング可能に形成されており、背もたれの左右端部とアームレストとの間に３．０ｃｍ以上隙間が形成されていることを特徴とするものであってもよい。
【００２１】
背もたれの左右端部とアームレストとの間に３．０ｃｍ以上隙間が空いていることによって、毛足の長いムートン調の生地であっても、背もたれ部とアームレスト部との毛足の干渉を最小限にすることができ、背もたれが起立する際に妨げられることを防止することができる。
【発明の効果】
【００２２】
本発明にかかる座椅子用カバー及び座椅子によれば、毛足が１．５ｃｍを超える生地であっても、椅子正面側に隙間なく毛足を隙間なく取り付けることができ、かつ背もたれ部のリクライニング機構を妨げることのない座椅子用カバー及び座椅子を提供することができる。
【図面の簡単な説明】
【００２３】
【図１】図１は、実施形態にかかる座椅子用カバー１００の表側を示す模式図である。
【図２】図２は、実施形態にかかる座椅子用カバー１００の裏側を示す模式図である。
【図３】図３は、実施形態にかかる座椅子用カバー１００が使用される座椅子の内部フレーム２１０を示す斜視図である。
【図４】図４は、実施形態にかかる座椅子用カバー１００の別実施形態の裏側を示す模式図である。
【図５】図５は、実施形態にかかる座椅子用カバー１００のさらなる別実施形態の裏側を示す模式図である。
【図６】図６は、実施形態にかかる座椅子２００の６面図である。
【図７】図７は、実施形態にかかる座椅子２００の斜視図である。
【発明を実施するための形態】
【００２４】
次に、本発明にかかる座椅子用カバー１００及び座椅子用カバー１００を被覆した座椅子２００の実施形態について、図を参照しつつ詳細に説明する。なお、以下に説明する実施の形態及び図面は、本発明の実施形態の一部を例示するものであり、これらの構成に限定する目的に使用されるものではなく、本発明の要旨を逸脱しない範囲において適宜変更することができる。
【００２５】
第１実施形態にかかる座椅子用カバー１００が図１に示されている。また、第１実施形態にかかる座椅子用カバー１００を使用する座椅子２００の内部フレーム２１０が図３に示されている。
【００２６】
まず、はじめに、本実施形態にかかる座椅子用カバー１００を使用する座椅子２００の内部フレーム２１０の構成について図３を参照しつつ説明する。座椅子２００の内部フレーム２１０は、図３に示すように、座面２１１と、背もたれ２１２と、アームレスト２１３と、を構成するウレタンフォームやスポンジ等のクッション性を有する緩衝部材を有している。これら緩衝部材の内部には形態を保持し、かつリクライング機能を有する金属製のフレーム（図示しない。）が内装されている。座面２１１と背もたれ２１２はそれぞれ緩衝部材が密接して配置されており、座面２１１とアームレスト２１３もそれぞれの緩衝部材が密接して配置されている。一方で、背もたれ２１２の側面２１２ａとアームレスト２１３とは、少なくとも３．０ｃｍ以上の間隔を有するように設けられている。背もたれ２１２は、リクライニング可能なように、起立する方向に付勢する付勢部材（図示しない）が背もたれ２１２と座面２１１を構成する金属フレームの間に設けられていて、操作レバーを操作することによって、付勢力によって自動的に背もたれ２１２が起立するように作製されている。
【００２７】
次に、実施形態にかかる座椅子用カバー１００について説明する。第１実施形態にかかる座椅子用カバー１００は、図１に示すように毛足の長さが１．５ｃｍ以上、より好ましくは２．０ｍｍ以上のムートン調の生地からなる背もたれ部１０、座部２０及びアームレスト部３０と、これらを接合するシート４０を備えている。なお、ムートン調の生地とは、羊の毛皮からなるムートンそのものに加え、１．５ｃｍ以上の毛足を密集して生地に起毛したような人工的にムートン調を模した生地も含む。
【００２８】
背もたれ部１０は、座椅子２００の少なくとも背もたれ２１２の正面、側面及び上面を被覆するように作製されている。従って、座椅子の内部フレーム２１０の背もたれ２１２に被せるのみで正面側から見た場合には、背もたれ２１２全体がムートン調の生地で被覆されているようにすることができる。より好ましくは、図３に示すように、背面側もある程度被覆できるように延出部１０ａを設けることによって、全体的に袋状に形成され、背もたれ２１２に被せやすくなるとともに、多少座椅子用カバー１００がずれた場合であっても背もたれの側面又は上面がムートン調の生地で被覆されていない状態となることを防止することができる。
【００２９】
座部２０は、少なくとも座面２１１の上面及び正面側を被覆することができるように作製されている。従って座椅子２００の内部フレーム２１０の座面２１１に被せるのみで正面側から見た場合には、座面全体がムートン調の生地で覆われているように視認することができる。より好ましくは、図２に示すように、正面側から底面側に向かって延出部２０ａを設けることによって、多少、座椅子用カバー１００がずれた場合であっても座面２１１の上面がムートン調の生地で被覆されていない状態となることを防止することができる。
【００３０】
アームレスト部３０は、図２に示すように、アームレスト２１３の少なくとも内側面、外側面、上面、正面及び背面を被覆することができるように袋状に形成されており、アームレスト２１３に被せるように被覆することで、正面側から見た場合には、アームレスト全体がムートン調の生地で覆われているように視認することができる。
【００３１】
こうして作製された背もたれ部１０、座部２０及びアームレスト部３０は以下のようにして縫製等によって接合される。背もたれ部１０と座部２０は、厚さ２．０ｍｍ以下であってかつ幅が２．０ｃｍ以上、より好ましくは３．０ｃｍ以上、さらに好ましくは５．０ｃｍ以上の織物、プラスチックシート等の柔軟な第１シート４０ａを介して接合される。座部２０とアームレスト部３０は、厚さ２．０ｍｍ以下であってかつ幅が２．０ｃｍ以上、より好ましくは３．０ｃｍ以上、さらに好ましくは５．０ｃｍ以上の織物、プラスチックシート等の柔軟な第２シート４０ｂを介して接合される。こうして背もたれ部１０、座部２０及びアームレスト部３０は、一体に形成され、それぞれ背もたれ部１０と座部２０との間及び座部２０とアームレスト部３０との間は、薄い柔軟なシート４０が配置されることになる。さらに、柔軟な第１シート４０ａ及び第２シート４０ｂは、図２のＣ拡大図に示すように、分割して形成し、端部がムートン調の生地と反対側となるように重ね合わせて接合してもよい。このように作製することによって、座面２１１と背もたれ２１２との間や、座面２１１とアームレスト２１３の間に挿入する際に折り畳まれるのと同様の形態が既に形成されているので、押し込みやすく、かつ抜けづらくすることができる。
【００３２】
さらに、背もたれ部１０の背面側には、図４に示すように、背もたれ部１０の上端辺１０ｂ、左端辺１０ｃ及び右端辺１０ｄとで接合された厚さ２．０ｍｍ以下の柔軟な第３シート５０（図４の斜線の部分）を設けても良い。このような第３シート５０を設けることによって、背もたれ２１２に被せる部分を袋状に形成することができるため、背もたれ２１２に対して被せるだけで座椅子用カバー１００を取り付けることができる。さらに、図５に示すように、第３シート５０をさらに座面側まで延長して、座部２０の前方端辺２０ｂ及び左右のアームレスト部３０の端辺３０ａを線ファスナーや面ファスナーによって接合可能に設けても良い。かかる構成を採用することによって、座椅子２００の内部フレーム２１０の背面及び底面を含む全体を覆うことができるようになり、座椅子用カバー１００が不用意に外れる可能性を低減することができる。
【００３３】
なお、第３シート５０は、図５に示すように、背もたれ部１０の背面側において、長さを変更可能なように折り曲げ部５０ａを設けても良い。
【００３４】
かかる構成を採用することによって、座椅子２００のリクライニングする背もたれ部を起立させた場合には、背面側の第３シート５０が引っ張られて長さが足りなくなる可能性があるが、折り曲げ部が延びることによって足りなくなった長さを補完することができる。
【００３５】
以上のようにして作製された座椅子用カバー１００は、座面２１１、背もたれ２１２及びアームレスト２１３にそれぞれ背もたれ部１０、座部２０及びアームレスト部３０を被覆するように被せる。そして、第１シート４０ａを座面２１１と背もたれ２１２の間に押し込む。これにより、背もたれ部１０と座部２０のムートン調の生地が座面２１１と背もたれ２１２の境界で重なり合い、第１シート４０ａは正面から見えなくなるとともに、背もたれ部１０と座部２０のムートンが連続しているように視認させることができるとともに、座面２１１と背もたれ２１２のそれぞれに個別にムートン生地を被覆しているかのように見せることができる。さらに、第２シート４０ｂも座面２１１とアームレスト２１３の間に押し込む。これにより、座部２０とアームレスト部３０のムートン調の生地が座部２０とアームレスト部３０の境界で重なり合い、第２シート４０ｂは正面から見えなくなるとともに、座部２０とアームレスト部３０のムートン生地が連続しているように視認させることができるとともに、座面２１１とアームレスト２１３のそれぞれに個別にムートン生地を被覆しているかのように見せることができる。なお、座面２１１と背もたれ２１２に押し込まれた第１シート４０ａ及び座面２１１とアームレスト２１３に押し込まれた第２シート４０ｂは、押し込まれた状態を保持することができるように、金属フレームに縫い合わせたり、座面２１１、背もたれ２１２又はアームレスト２１３に接着剤で接着したりしてもよい。
【００３６】
そして、最後に、第３シート５０を座部２０の前方端辺及び左右のアームレスト部３０の端辺を線ファスナーや面ファスナーによって接合することによって、座椅子全体を被覆する。
【００３７】
こうして作製された座椅子２００は、１．５ｃｍ以上という長い毛足を有する座椅子用カバー１００であっても、座面２１１と背もたれ２１２及び座面２１１とアームレスト２１３との間に隙間を設けなくても一体の座椅子用カバー１００を使用して取り付けることができるようになる。しかも、図６、図７に示すように、座面２１１と背もたれ２１２及び座面２１１とアームレスト２１３との間は連続してムートン調の生地が連続し、取り付けた状態で正面から見た場合には、全体がムートンで覆われているように視認させることができる。また、背もたれ２１２とアームレスト２１３との間には、３．０ｃｍ以上の隙間が空いているので、ムートンの毛足による干渉を低減することができるので、付勢部材による背もたれの起立を妨げる摩擦を小さくすることができる。そのため、背もたれの起立をスムーズに行うことができるようになる。さらに、柔軟な第１シート４０ａ及び第２シート４０ｂは、図２Ｃに示すように、幅の略中心線において、端部がムートン調の生地と反対側となるように、重ね合わせて接合すれば、接合部が押し込まれた方向に癖付けされることになるので、押し込まれた第１シート４０ａ及び第２シート４０ｂが飛び出す可能性を低減することができる。
【産業上の利用可能性】
【００３８】
上述した実施の形態で示すように、座椅子として利用することができる。
【符号の説明】
【００３９】
１０…背もたれ部、１０ａ…延出部、１０ｂ…上端辺、１０ｃ…左端辺、１０ｄ…右端辺、２０…座部、２０ａ…延出部、２０ｂ…前方端辺、３０…アームレスト部、３０ａ…端辺、４０…シート、４０ａ…第１シート、４０ｂ…第２シート、５０…第３シート、５０ａ…折り曲げ部、１００…座椅子用カバー、２００…座椅子、２１０…内部フレーム、２１１…座面、２１２…背もたれ、２１２ａ…側面、２１３…アームレスト
【要約】      （修正有）【課題】背もたれがリクライニングし、かつアームレスト部を有する座椅子において、毛足が２ｃｍを超える生地であっても、椅子正面側に毛足を隙間なく取り付けることができ、かつ背もたれのリクライニング機構を妨げることのない一体型の座椅子用カバー及び座椅子を提供する。【解決手段】本発明にかかる座椅子用カバー１００は、それぞれ毛足の長さが２．０ｃｍ以上のムートン調の表面を有する背もたれ部１０、座部２０及びアームレスト部３０と、を備え、背もたれ部１０と座部２０との間には、それぞれ背もたれ部１０及び座部２０に接合された厚さ２．０ｍｍ以下であってかつ幅が５．０ｃｍ以上の柔軟な第１シート４０ａと、アームレスト部３０と座部１０の間には、それぞれ接合された厚さ２．０ｍｍ以下であってかつ幅が３.０ｃｍ以上の柔軟な第２シート４０ｂと、を備えていることを特徴とする。【選択図】図１【図１】
0006758008.tif 000002
【図２】
0006758008.tif 000003
【図３】
0006758008.tif 000004
【図４】
0006758008.tif 000005
【図５】
0006758008.tif 000006
【図６】
0006758008.tif 000007
【図７】
0006758008.tif 000008